(57)【要約】      （修正有）【課題】ＬＴＥ−Ａシステムにおけるスケジューリングを実現する。【解決手段】割り当て対象である全ての周波数領域リソース単位の中から、１つの周波数領域リソース単位を選択するステップＡと、選択された周波数領域リソース単位においてスケジューリングを行って、記録されたＵＥとＤＭ−ＲＳポートとの対応関係に基づいて、スケジューリング結果の中から、同一のＵＥに割り当てられた全ての周波数領域リソース単位のＤＭ−ＲＳポートが同じであることを保証する１つのスケジューリング結果を選択するステップＢと、全ての周波数領域リソース単位の割り当てが終了するまで、選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録してからステップＡに戻るステップＣとを含む。【選択図】図１
2011254467.tif 000002
【特許請求の範囲】
【請求項１】
リソース割り当て方法であって、
割り当て対象である全ての周波数領域リソース単位の中から、１つの周波数領域リソース単位を選択するステップＡと、
選択された周波数領域リソース単位においてスケジューリングを行い、記録されたユーザ機器（ＵＥ）と復調基準信号（ＤＭ−ＲＳ）ポートとの対応関係に基づいて、スケジューリング結果の中から、同一のＵＥに割り当てられた全ての周波数領域リソース単位のＤＭ−ＲＳポートが同じであることを保証する１つのスケジューリング結果を選択するステップＢと、
全ての周波数領域リソース単位の割り当てが終了するまで、選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録してから、ステップＡに戻るステップＣと、
を含むことを特徴とするリソース割り当て方法。
【請求項２】
ステップＡを実行する前に、
１つのＲａｎｋ値を選択して、割り当て対象である全ての周波数領域リソース単位のＲａｎｋがいずれも該Ｒａｎｋ値に等しいように設定するステップＡ０を、
さらに含み、
ステップＣを実行した後に、
全ての可能なＲａｎｋ値に対していずれも１つのリソース割り当て結果を得るまで、該Ｒａｎｋ値に対応するリソース割り当て結果を記録してから、ステップＡ０に戻り、全ての可能なＲａｎｋ値に対していずれも１つのリソース割り当て結果を得た後、ステップＥを実行するステップＤと、
異なるＲａｎｋ値に対応するリソース割り当て結果を比較し、性能が最適となるリソース割り当て結果を、最終的なリソース割り当て結果として選択するステップＥと、
をさらに含み、
前記選択された周波数領域リソース単位においてスケジューリングを行うことは、選択されたＲａｎｋ値に基づいて、シングルユーザマルチ入力マルチ出力（ＳＵ−ＭＩＭＯ）スケジューリングおよび／またはマルチユーザマルチ入力マルチ出力（ＭＵ−ＭＩＭＯ）スケジューリングを行う、ことを含み、ここで、スケジューリングされた各ＵＥのＲａｎｋの和が、選択されたＲａｎｋ値に等しい、
ことを特徴とする請求項１に記載のリソース割り当て方法。
【請求項３】
前記ステップＢは、
選択された周波数領域リソース単位において、ＳＵ−ＭＩＭＯスケジューリングおよび／またはＭＵ−ＭＩＭＯスケジューリングを行って、１つのスケジューリング結果を得るサブステップＡ１と、
記録されたＵＥとＤＭ−ＲＳポートとの対応関係に基づいて、今回のスケジューリング結果では、スケジューリングされた全てのＵＥの間にＤＭ−ＲＳポートの衝突が存在するかどうかを判断し、
ＤＭ−ＲＳポートの衝突が存在する場合、前記スケジューリング結果が、同一のＵＥに割り当てられた全ての周波数領域リソース単位のＤＭ−ＲＳポートが同じであることを保証できないと認められ、該スケジューリング結果を廃棄して、サブステップＡ１に戻り、
ＤＭ−ＲＳポートの衝突が存在しない場合、前記スケジューリング結果が、同一のＵＥに割り当てられた全ての周波数領域リソース単位のＤＭ−ＲＳポートが同じであることを保証できると認められ、前記スケジューリング結果を、選択されるスケジューリング結果とするサブステップＡ２と、
を含むことを特徴とする請求項１または請求項２に記載のリソース割り当て方法。
【請求項４】
リソース割り当てを行う前に記録されたＵＥとＤＭ−ＲＳポートとの対応関係が空である、
ことを特徴とする請求項１に記載のリソース割り当て方法。
【請求項５】
リソース割り当て方法であって、
割り当て対象である全ての周波数領域リソース単位の中から、１つの周波数領域リソース単位を選択するステップＡと、
選択された周波数領域リソース単位においてスケジューリングを行って、記録されたユーザ機器（ＵＥ）と復調基準信号（ＤＭ−ＲＳ）ポートとの対応関係およびＵＥと該ＵＥに対応するＲａｎｋとの対応関係に基づいて、スケジューリング結果の中から、同一のＵＥに割り当てられた全ての周波数領域リソース単位のＤＭ−ＲＳポートが同じであることを保証するとともに、同一のＵＥに割り当てられた全ての周波数領域リソース単位のＲａｎｋが同じであることを保証する１つのスケジューリング結果を選択するステップＢと、
全ての周波数領域リソース単位の割り当てが終了するまで、選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録し、対応するＲａｎｋを有しないＵＥに対して、該ＵＥに対応するＲａｎｋを決定して、新たに確立されたＵＥとＲａｎｋとの対応関係を記録してから、ステップＡに戻るステップＣと、
を含むことを特徴とするリソース割り当て方法。
【請求項６】
前記ステップＢは、
選択された周波数領域リソース単位においてシングルユーザマルチ入力マルチ出力（ＳＵ−ＭＩＭＯ）スケジューリングおよび／またはマルチユーザマルチ入力マルチ出力（ＭＵ−ＭＩＭＯ）スケジューリングを行って、１つのスケジューリング結果を得るサブステップＢ１と、
記録されたＵＥとＤＭ−ＲＳポートとの対応関係に基づいて、今回のスケジューリング結果では、スケジューリングされた全てのＵＥの間にＤＭ−ＲＳポートの衝突が存在するかどうかを判断し、
ＤＭ−ＲＳポートの衝突が存在する場合、前記スケジューリング結果が、同一のＵＥに割り当てられた全ての周波数領域リソース単位のＤＭ−ＲＳポートが同じであることを保証できないと認められ、該スケジューリング結果を廃棄して、サブステップＢ１に戻り、
ＤＭ−ＲＳポートの衝突が存在しない場合、前記スケジューリング結果が、同一のＵＥに割り当てられた全ての周波数領域リソース単位のＤＭ−ＲＳポートが同じであることを保証できると認められ、サブステップＢ３を行うサブステップＢ２と、
今回のスケジューリング結果および記録されたＵＥと該ＵＥに対応するＲａｎｋとの対応関係に基づいて、同一のＵＥに割り当てられた全ての周波数領域リソース単位のＲａｎｋが同じであるかどうかを判断し、
同一のＵＥに割り当てられた全ての周波数領域リソース単位のＲａｎｋが同じである場合、前記スケジューリング結果を、選択されるスケジューリング結果とし、
同一のＵＥに割り当てられた全ての周波数領域リソース単位のＲａｎｋが同じであるわけではない場合、該スケジューリング結果を廃棄して、サブステップＢ１に戻るサブステップＢ３と、
を含むことを特徴とする請求項５に記載のリソース割り当て方法。
【請求項７】
対応するＤＭ−ＲＳポートがまだ割り当てられていないＵＥに対して、対応するＤＭ−ＲＳポートを割り当てることは、
選択された周波数領域リソース単位においてスケジューリングされた異なるＵＥに対応するＤＭ−ＲＳポートが異なることを保証するように、昇順、降順またはランダムの方式によって、対応するＤＭ−ＲＳポートがまだ割り当てられていないＵＥに対して、対応するＤＭ−ＲＳポートを割り当てる、
ことを含むことを特徴とする請求項１または請求項５に記載のリソース割り当て方法。
【請求項８】
新たに確立されたＵＥとＤＭ−ＲＳポートとの対応関係を記録することは、
各ＵＥに対して、該ＵＥに対応するＤＭ−ＲＳポートを記録するためのＤＭ−ＲＳポートレジスタをそれぞれ設けて、新たに確立されたＵＥとＤＭ−ＲＳポートとの対応関係を記録する、
ことを含むことを特徴とする請求項１または請求項５に記載のリソース割り当て方法。
【請求項９】
対応するＲａｎｋを有しないＵＥに対して、該ＵＥに対応するＲａｎｋを決定することは、
選択された周波数領域リソース単位においてスケジューリングされたＵＥの数に基づいて、対応するＲａｎｋを有しないＵＥに対して、対応するＲａｎｋを決定する、
ことを含むことを特徴とする請求項５に記載のリソース割り当て方法。
【請求項１０】
新たに確立されたＵＥとＲａｎｋとの対応関係を記録することは、
各ＵＥに対して、該ＵＥに対応するＲａｎｋを記録するためのＲａｎｋレジスタをそれぞれ設けて、新たに確立されたＵＥとＲａｎｋとの対応関係を記録する、
ことを含むことを特徴とする請求項５に記載のリソース割り当て方法。
【請求項１１】
リソース割り当てを行う前に記録されたＵＥとＤＭ−ＲＳポートとの対応関係が空であって、かつ、記録されたＵＥとＲａｎｋとの対応関係が空である、
ことを特徴とする請求項５に記載のリソース割り当て方法。
【請求項１２】
割り当て対象である全ての周波数領域リソース単位の中から、１つの周波数領域リソース単位を選択することは、
割り当て対象である全ての周波数領域リソース単位の中から、重み付け和が最高となる周波数領域リソース単位、または優先度が最高となる周波数領域リソース単位、またはスループットが最高となる周波数領域リソース単位を選択し、あるいは、割り当て対象である全ての周波数領域リソース単位の中から、１つの周波数領域リソース単位をランダムに選択する、
ことを含むことを特徴とする請求項１または請求項５に記載のリソース割り当て方法。
【請求項１３】
前記スケジューリングは、プロポーショナルフェアネス（ＰＦ）スケジューリングアルゴリズム、またはラウンドロビン（ＲＲ）スケジューリングアルゴリズム、または最大搬送波対干渉比（ＭＣＩ）スケジューリングアルゴリズムを採用する、
ことを特徴とする請求項１または請求項５に記載のリソース割り当て方法。
【請求項１４】
前記周波数領域リソース単位は、リソースブロック（ＲＢ）、サブキャリア、コンポーネントキャリア、またはサブバンドである、
ことを特徴とする請求項１または請求項５に記載のリソース割り当て方法。
【請求項１５】
リソース割り当て装置であって、
全ての周波数領域リソース単位の割り当てが終了するまで、割り当て対象である全ての周波数領域リソース単位の中から、１つの周波数領域リソース単位を選択するリソース選択モジュールと、
選択された周波数領域リソース単位においてスケジューリングを行って、記録されたユーザ機器（ＵＥ）と復調基準信号（ＤＭ−ＲＳ）ポートとの対応関係に基づいて、スケジューリング結果の中から、同一のＵＥに割り当てられた全ての周波数領域リソース単位のＤＭ−ＲＳポートが同じであることを保証する１つのスケジューリング結果を選択するユーザスケジューリングモジュールと、
選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録する対応関係記録モジュールと、
を含むことを特徴とするリソース割り当て装置。
【請求項１６】
対応関係記録モジュールは、各ＵＥに対してそれぞれ設けられた、該ＵＥに対応するＤＭ−ＲＳポートを記録するためのＤＭ−ＲＳポートレジスタを含む、
ことを特徴とする請求項１５に記載のリソース割り当て装置。
【請求項１７】
対応関係記録モジュールは、各ＵＥに対してそれぞれ設けられた、該ＵＥに対応するＲａｎｋを記録するためのＲａｎｋレジスタをさらに含み、
ユーザスケジューリングモジュールは、選択された周波数領域リソース単位においてシングルユーザマルチ入力マルチ出力（ＳＵ−ＭＩＭＯ）スケジューリングおよび／またはマルチユーザマルチ入力マルチ出力（ＭＵ−ＭＩＭＯ）スケジューリングを行い、記録されたユーザ機器（ＵＥ）と復調基準信号（ＤＭ−ＲＳ）ポートとの対応関係およびＵＥとＲａｎｋとの対応関係に基づいて、スケジューリング結果の中から、同一のＵＥに割り当てられた全ての周波数領域リソース単位のＤＭ−ＲＳポートが同じであることを保証するとともに、同一のＵＥに割り当てられた全ての周波数領域リソース単位のＲａｎｋが同じであることを保証する１つのスケジューリング結果を選択する、
ことを特徴とする請求項１６に記載のリソース割り当て装置。
【請求項１８】
全ての可能なＲａｎｋ値に対していずれも１つのリソース割り当て結果を得るまで、全ての可能なＲａｎｋ値の中から、１つのＲａｎｋ値を選択するＲａｎｋ設定モジュールと、
異なるＲａｎｋ値に対応するリソース割り当て結果を比較し、性能が最適となるリソース割り当て結果を、最終的なリソース割り当て結果として選択する割り当て結果選択モジュールと、
をさらに含むことを特徴とする請求項１５に記載のリソース割り当て装置。
【発明の詳細な説明】
【技術分野】
【０００１】
本発明は、移動通信技術に関し、特に、改善された長期的進化（ＬＴＥ−Ａ：ＬＴＥ−Ａｄｖａｎｃｅｄ）システムにおけるリソース割り当て方法およびその装置に関する。
【背景技術】
【０００２】
セルラー携帯電話は人々の通信に極大な便利をもたらし、第２世代グローバル移動通信システム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）はデジタル通信技術を採用して、移動通信の通話品質をさらに向上させる。第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は移動通信分野の重要な組織として、第３世代移動通信技術（３Ｇ：Ｔｈｅ  Ｔｈｉｒｄ  Ｇｅｎｅｒａｔｉｏｎ）の標準化の進展を大幅に促進し、広帯域符号分割多元接続（ＷＣＤＭＡ：Ｗｉｄｅ  Ｃｏｄｅ  Ｄｉｖｉｓｉｏｎ  Ｍｕｌｔｉｐｌｅ  Ａｃｃｅｓｓ）、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）、高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）などを含む一連の通信システム規格を制定した。
【０００３】
広帯域アクセス技術の挑戦に対処し、かつ、増加しつつある新たなサービスの需要を満たすために、３ＧＰＰは２００４年末から３Ｇ長期的な進化（ＬＴＥ：Ｌｏｎｇ  Ｔｅｒｍ  Ｅｖｏｌｕｔｉｏｎ）技術の標準化作業を開始したことで、スペクトル効率をさらに向上させ、セル端ユーザの性能を改善し、システム遅延を低下させ、高速移動ユーザに更なる高速のアクセスサービスを提供することなどを図る。改善されたＬＴＥ（ＬＴＥ−Ａ：ＬＴＥ−Ａｄｖａｎｃｅｄ）技術はさらにＬＴＥ技術を基に、スペクトル帯域幅を数倍増加させ、データレートを倍的に向上させ、もっと多くの移動ユーザに、更なる高速であって性能がさらに優れたサービスを提供する。
【発明の概要】
【発明が解決しようとする課題】
【０００４】
ＬＴＥ−Ａシステムでは、マルチユーザマルチ入力マルチ出力（ＭＵ−ＭＩＭＯ）技術がサポートされている。即ち、ＬＴＥ−Ａシステムでは、同じスペクトルリソースで複数のユーザ（ＵＥ）を同時にスケジューリングすることができる。つまり、ＬＴＥ−Ａシステムにおいて、複数のＵＥは、例えばリソースブロック（ＲＢ：Ｒｅｓｏｕｒｃｅ  Ｂｌｏｃｋ）などのスペクトルリソースを共有することができる。よって、如何にリソース割り当てを完成し、ユーザスケジューリングを実現するかが、ＬＴＥ−Ａシステムで解決すべき肝心な課題の１つである。
【課題を解決するための手段】
【０００５】
本発明は、ＬＴＥ−ＡシステムにおけるＭＵ−ＭＩＭＯスケジューリングを実現するリソース割り当て方法およびその装置を提供する。
【０００６】
本発明の実施例に係るリソース割り当て方法は、割り当て対象である全ての周波数領域リソース単位の中から、１つの周波数領域リソース単位を選択するステップＡと、選択された周波数領域リソース単位においてスケジューリングを行い、記録されたユーザ機器（ＵＥ）と復調基準信号（ＤＭ−ＲＳ）ポートとの対応関係に基づいて、スケジューリング結果の中から、同一のＵＥに割り当てられた全ての周波数領域リソース単位のＤＭ−ＲＳポートが同じであることを保証する１つのスケジューリング結果を選択するステップＢと、全ての周波数領域リソース単位の割り当てが終了するまで、選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録してから、ステップＡに戻るステップＣと、を含む。
【０００７】
ステップＡを実行する前に、１つのＲａｎｋ値を選択して、割り当て対象である全ての周波数領域リソース単位のＲａｎｋがいずれも該Ｒａｎｋ値に等しいように設定するステップＡ０を、さらに含み、ステップＣを実行した後に、全ての可能なＲａｎｋ値に対していずれも１つのリソース割り当て結果を得るまで、該Ｒａｎｋ値に対応するリソース割り当て結果を記録してから、ステップＡ０に戻り、全ての可能なＲａｎｋ値に対していずれも１つのリソース割り当て結果を得た後、ステップＥを実行するステップＤと、異なるＲａｎｋ値に対応するリソース割り当て結果を比較し、性能が最適となるリソース割り当て結果を、最終的なリソース割り当て結果として選択するステップＥと、をさらに含み、前記選択された周波数領域リソース単位においてスケジューリングを行うことは、選択されたＲａｎｋ値に基づいて、ＳＵ−ＭＩＭＯスケジューリングおよび／またはＭＵ−ＭＩＭＯスケジューリングを行う、ことを含み、ここで、スケジューリングされた各ＵＥのＲａｎｋの和が、選択されたＲａｎｋ値に等しい。
【０００８】
前記ステップＢは、選択された周波数領域リソース単位において、ＳＵ−ＭＩＭＯスケジューリングおよび／またはＭＵ−ＭＩＭＯスケジューリングを行って、１つのスケジューリング結果を得るサブステップＡ１と、記録されたＵＥとＤＭ−ＲＳポートとの対応関係に基づいて、今回のスケジューリング結果では、スケジューリングされた全てのＵＥの間にＤＭ−ＲＳポートの衝突が存在するかどうかを判断し、ＤＭ−ＲＳポートの衝突が存在する場合、前記スケジューリング結果が、同一のＵＥに割り当てられた全ての周波数領域リソース単位のＤＭ−ＲＳポートが同じであることを保証できないと認められ、該スケジューリング結果を廃棄して、サブステップＡ１に戻り、ＤＭ−ＲＳポートの衝突が存在しない場合、前記スケジューリング結果が、同一のＵＥに割り当てられた全ての周波数領域リソース単位のＤＭ−ＲＳポートが同じであることを保証できると認められ、前記スケジューリング結果を、選択されるスケジューリング結果とするサブステップＡ２と、を含む。
【０００９】
リソース割り当てを行う前に記録されたＵＥとＤＭ−ＲＳポートとの対応関係が空である。
【００１０】
本発明のほかの実施例に係るリソース割り当て方法は、割り当て対象である全ての周波数領域リソース単位の中から、１つの周波数領域リソース単位を選択するステップＡと、選択された周波数領域リソース単位においてスケジューリングを行って、記録されたユーザ機器（ＵＥ）と復調基準信号（ＤＭ−ＲＳ）ポートとの対応関係およびＵＥと該ＵＥに対応するＲａｎｋとの対応関係に基づいて、スケジューリング結果の中から、同一のＵＥに割り当てられた全ての周波数領域リソース単位のＤＭ−ＲＳポートが同じであることを保証するとともに、同一のＵＥに割り当てられた全ての周波数領域リソース単位のＲａｎｋが同じであることを保証する１つのスケジューリング結果を選択するステップＢと、全ての周波数領域リソース単位の割り当てが終了するまで、選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録し、対応するＲａｎｋを有しないＵＥに対して、該ＵＥに対応するＲａｎｋを決定して、新たに確立されたＵＥとＲａｎｋとの対応関係を記録してから、ステップＡに戻るステップＣと、を含む。
【００１１】
前記ステップＢは、選択された周波数領域リソース単位においてＳＵ−ＭＩＭＯスケジューリングおよび／またはＭＵ−ＭＩＭＯスケジューリングを行って、１つのスケジューリング結果を得るサブステップＢ１と、記録されたＵＥとＤＭ−ＲＳポートとの対応関係に基づいて、今回のスケジューリング結果では、スケジューリングされた全てのＵＥの間にＤＭ−ＲＳポートの衝突が存在するかどうかを判断し、ＤＭ−ＲＳポートの衝突が存在する場合、前記スケジューリング結果が、同一のＵＥに割り当てられた全ての周波数領域リソース単位のＤＭ−ＲＳポートが同じであることを保証できないと認められ、該スケジューリング結果を廃棄して、サブステップＢ１に戻り、ＤＭ−ＲＳポートの衝突が存在しない場合、前記スケジューリング結果が、同一のＵＥに割り当てられた全ての周波数領域リソース単位のＤＭ−ＲＳポートが同じであることを保証できると認められ、サブステップＢ３を行うサブステップＢ２と、今回のスケジューリング結果および記録されたＵＥと該ＵＥに対応するＲａｎｋとの対応関係に基づいて、同一のＵＥに割り当てられた全ての周波数領域リソース単位のＲａｎｋが同じであるかどうかを判断し、同一のＵＥに割り当てられた全ての周波数領域リソース単位のＲａｎｋが同じである場合、前記スケジューリング結果を、選択されるスケジューリング結果とし、同一のＵＥに割り当てられた全ての周波数領域リソース単位のＲａｎｋが同じであるわけではない場合、該スケジューリング結果を廃棄して、サブステップＢ１に戻るサブステップＢ３と、を含む。
【００１２】
対応するＤＭ−ＲＳポートがまだ割り当てられていないＵＥに対して、対応するＤＭ−ＲＳポートを割り当てることは、選択された周波数領域リソース単位においてスケジューリングされた異なるＵＥに対応するＤＭ−ＲＳポートが異なることを保証するように、昇順、降順またはランダムの方式によって、対応するＤＭ−ＲＳポートがまだ割り当てられていないＵＥに対して、対応するＤＭ−ＲＳポートを割り当てる、ことを含む。
【００１３】
新たに確立されたＵＥとＤＭ−ＲＳポートとの対応関係を記録することは、各ＵＥに対して、該ＵＥに対応するＤＭ−ＲＳポートを記録するためのＤＭ−ＲＳポートレジスタをそれぞれ設けて、新たに確立されたＵＥとＤＭ−ＲＳポートとの対応関係を記録する、ことを含む。
【００１４】
対応するＲａｎｋを有しないＵＥに対して、該ＵＥに対応するＲａｎｋを決定することは、選択された周波数領域リソース単位においてスケジューリングされたＵＥの数に基づいて、対応するＲａｎｋを有しないＵＥに対して、対応するＲａｎｋを決定する、ことを含む。
【００１５】
新たに確立されたＵＥとＲａｎｋとの対応関係を記録することは、各ＵＥに対して、該ＵＥに対応するＲａｎｋを記録するためのＲａｎｋレジスタをそれぞれ設けて、新たに確立されたＵＥとＲａｎｋとの対応関係を記録する、ことを含む。
【００１６】
リソース割り当てを行う前に記録されたＵＥとＤＭ−ＲＳポートとの対応関係が空であって、かつ、記録されたＵＥとＲａｎｋとの対応関係が空である。
【００１７】
割り当て対象である全ての周波数領域リソース単位の中から、１つの周波数領域リソース単位を選択することは、割り当て対象である全ての周波数領域リソース単位の中から、重み付け和が最高となる周波数領域リソース単位、または優先度が最高となる周波数領域リソース単位、またはスループットが最高となる周波数領域リソース単位を選択し、あるいは、割り当て対象である全ての周波数領域リソース単位の中から、１つの周波数領域リソース単位をランダムに選択する、ことを含む。
【００１８】
前記スケジューリングは、プロポーショナルフェアネス（ＰＦ）スケジューリングアルゴリズム、ラウンドロビン（ＲＲ）スケジューリングアルゴリズム、または最大搬送波対干渉比（ＭＣＩ）スケジューリングアルゴリズムを採用する。
【００１９】
本発明の実施例はリソース割り当て装置も提供する。該リソース割り当て装置は、全ての周波数領域リソース単位の割り当てが終了するまで、割り当て対象である全ての周波数領域リソース単位の中から、１つの周波数領域リソース単位を選択するリソース選択モジュールと、選択された周波数領域リソース単位においてスケジューリングを行って、記録されたユーザ機器（ＵＥ）と復調基準信号（ＤＭ−ＲＳ）ポートとの対応関係に基づいて、スケジューリング結果の中から、同一のＵＥに割り当てられた全ての周波数領域リソース単位のＤＭ−ＲＳポートが同じであることを保証する１つのスケジューリング結果を選択するユーザスケジューリングモジュールと、選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録する対応関係記録モジュールと、を含む。
【００２０】
前記対応関係記録モジュールは、各ＵＥに対してそれぞれ設けられた、該ＵＥに対応するＤＭ−ＲＳポートを記録するためのＤＭ−ＲＳポートレジスタを含む。
【００２１】
前記対応関係記録モジュールは、各ＵＥに対してそれぞれ設けられた、該ＵＥに対応するＲａｎｋを記録するためのＲａｎｋレジスタをさらに含むことができる。ここで、ユーザスケジューリングモジュールは、選択された周波数領域リソース単位においてＳＵ−ＭＩＭＯスケジューリングおよび／またはＭＵ−ＭＩＭＯスケジューリングを行い、記録されたユーザ機器（ＵＥ）と復調基準信号（ＤＭ−ＲＳ）ポートとの対応関係およびＵＥとＲａｎｋとの対応関係に基づいて、スケジューリング結果の中から、同一のＵＥに割り当てられた全ての周波数領域リソース単位のＤＭ−ＲＳポートが同じであることを保証するとともに、同一のＵＥに割り当てられた全ての周波数領域リソース単位のＲａｎｋが同じであることを保証する１つのスケジューリング結果を選択する。
【００２２】
前記リソース割り当て装置は、全ての可能なＲａｎｋ値に対していずれも１つのリソース割り当て結果を得るまで、全ての可能なＲａｎｋ値の中から、１つのＲａｎｋ値を選択するＲａｎｋ設定モジュールと、異なるＲａｎｋ値に対応するリソース割り当て結果を比較し、性能が最適となるリソース割り当て結果を、最終的なリソース割り当て結果として選択する割り当て結果選択モジュールと、をさらに含む。
【００２３】
前記周波数領域リソース単位は、リソースブロック（ＲＢ）、サブキャリア、コンポーネントキャリア、またはサブバンドである。
【発明の効果】
【００２４】
本発明の実施例は、ＬＴＥ−Ａシステムに適用されるリソース割り当て方法およびリソース割り当て装置を提供し、ＬＴＥ−Ａシステムにおけるスケジューリングを実現でき、少なくとも、同一のＵＥに割り当てられた全てのＲＢのＤＭ−ＲＳポートが全部同じである、という制限条件を満たす。
【図面の簡単な説明】
【００２５】
【図１】本発明の実施例１に係るリソース割り当て方法のフローチャートである。
【図２】本発明の実施例２に係るリソース割り当て方法のフローチャートである。
【図３】本発明の実施例３に係るリソース割り当て方法のフローチャートである。
【図４】本発明で提供されるリソース割り当て装置の内部構成を示す図である。
【図５】本発明で提供されるほかのリソース割り当て装置の内部構成を示す図である。
【発明を実施するための形態】
【００２６】
ＬＴＥ−Ａシステムにおいて、ＬＴＥリリース８（Ｒｅｌ−８）システムで定義された共通基準信号（ＣＲＳ：Ｃｏｍｍｏｎ  Ｒｅｆｅｒｅｎｃｅ  Ｓｉｇｎａｌ）が継承される以外、チャネル状態情報基準信号（ＣＳＩ−ＲＳ）と、特定のＵＥに対する復調基準信号（ＤＭ−ＲＳ）とを含む２種類の新しい基準信号（ＲＳ：Ｒｅｆｅｒｅｎｃｅ  Ｓｉｇｎａｌ）が導入される。ここで、ＤＭ−ＲＳは、復調・チャネル推定に用いられる基準信号である。ＬＴＥ−Ａシステムにおける基地局は、物理下り制御チャネル（ＰＤＣＣＨ）におけるＤＭ−ＲＳポート指示フィールドにより、ＵＥに割り当てられたＲＢのＤＭ−ＲＳポートを該ＵＥに指示することができる。
【００２７】
ＬＴＥ−Ａシステムにおいて、スケジューリング対象の周波数帯域全体にわたって、各ユーザそれぞれに対応するＰＤＣＣＨで、ただ１つのＤＭ−ＲＳポート指示フィールドがある。そのため、リソース割り当てを行うとき、少なくとも、同一のＵＥに割り当てられた全てのＲＢのＤＭ−ＲＳポートが同じであることを保証する必要がある。しかしながら、ＬＴＥシステムに適用される従来のシングルユーザマルチ入力マルチ出力（ＳＵ−ＭＩＭＯ）スケジューリング方法およびＭＵ−ＭＩＭＯスケジューリング方法では、リソース割り当てを行うとき、上記の制限条件が考慮されない。従って、ＬＴＥ−Ａシステムにおけるスケジューリングを実現するために、新しいリソース割り当て方法が必要となる。
【００２８】
ＬＴＥ−Ａシステムにおいて、ＭＵ−ＭＩＭＯの透過性によって、ＭＵ−ＭＩＭＯを透過ＭＵ−ＭＩＭＯと非透過ＭＵ−ＭＩＭＯとの２種類に分けることができる、ということが知られている。ここで、透過ＭＵ−ＭＩＭＯとは、ＵＥが自局のデータの復調に必要な情報（例えば、該ＵＥに割り当てられたＲＢのデータストリームの総数（Ｒａｎｋ）やＤＭ−ＲＳポートなど）のみを知ることができるが、同一のＲＢにほかのＵＥが存在するかどうかを知ることができない、ということを指す。つまり、透過ＭＵ−ＭＩＭＯは、自分がＳＵ−ＭＩＭＯであるかそれともＭＵ−ＭＩＭＯであるかを知らない。透過ＭＵ−ＭＩＭＯにとって、リソース割り当てを行うとき、同一のＵＥに割り当てられた全てのＲＢのＤＭ−ＲＳポートが同じであるという制限条件を満たすだけでよい。また、非透過ＭＵ−ＭＩＭＯとは、ＵＥが自局のデータの復調に必要な情報を知ることができる以外、同一のＲＢに共存するほかのＵＥの情報（例えば、該ＵＥに割り当てられたＲＢのＲａｎｋや、該ＲＢを共有するほかのＵＥのＤＭ−ＲＳポートなど）を知ることもできる、ということを指す。つまり、非透過ＭＵ−ＭＩＭＯは、自分がＳＵ−ＭＩＭＯであるかそれともＭＵ−ＭＩＭＯであるかを知ることができる。従って、非透過ＭＵ−ＭＩＭＯにとって、スケジューリングを行うとき、同一のＵＥに割り当てられた全てのＲＢのＤＭ−ＲＳポートが同じであるという制限条件（制限条件１と略称する）を満たす必要がある以外、同一のＵＥに割り当てられた全てのＲＢのＲａｎｋが同じであるという制限条件（制限条件２と略称する）をさらに満たす必要もある。
【００２９】
以下、具体的な実施例によって、ＳＵ−ＭＩＭＯ、透過ＭＵ−ＭＩＭＯおよび非透過ＭＵ−ＭＩＭＯに対するリソース割り当て方法をそれぞれ詳細に説明する。
【００３０】
（実施例１）
本実施例では、ＳＵ−ＭＩＭＯおよび／または透過ＭＵ−ＭＩＭＯに対するリソース割り当て方法が提供される。これにより、ＬＴＥ−Ａシステムにおけるスケジューリングを実現することができる。
【００３１】
上記のように、ＳＵ−ＭＩＭＯおよび／または透過ＭＵ−ＭＩＭＯに対してＲＢを割り当てるとき、上記の制限条件１による制限を満たす必要があり、即ち、同一のＵＥに割り当てられた全てのＲＢのＤＭ−ＲＳポートが同じである、ということを満たす必要がある。
【００３２】
図１に示すように、本実施例に係るリソース割り当て方法の実行過程は、主に下記のステップを含む。
【００３３】
ステップ１０１で、全ての割り当て対象ＲＢの中から、１つのＲＢを選択する。
【００３４】
本ステップにおいて、様々な方法によって、全ての割り当て対象ＲＢの中から、１つのＲＢを選択することができる。例えば、全ての割り当て対象ＲＢの中から、重み付け和が最高となるＲＢ、スループットが最高となるＲＢ、または優先度が最高となるＲＢを選択してもよく、あるいは、全ての割り当て対象ＲＢの中から、１つのＲＢをランダムに選択してもよい。
【００３５】
ステップ１０２で、選択されたＲＢにおいてスケジューリングを行って、記録されたＵＥとＤＭ−ＲＳポートとの対応関係に基づいて、スケジューリング結果の中から、上記の制限条件１を満たす１つのスケジューリング結果を選択する。
【００３６】
本ステップにおいて、前記スケジューリングは、具体的にＳＵ−ＭＩＭＯスケジューリングおよび／またはＭＵ−ＭＩＭＯスケジューリングである。具体的に、本ステップには、下記のサブステップが含まれる。
【００３７】
サブステップＡ１で、選択されたＲＢにおいて、ＳＵ−ＭＩＭＯスケジューリングおよび／またはＭＵ−ＭＩＭＯスケジューリングを行って、１つのスケジューリング結果を得る。
【００３８】
サブステップＡ２で、記録されたＵＥとＤＭ−ＲＳポートとの対応関係に基づいて、今回のスケジューリング結果では、スケジューリングされた全てのＵＥの間にＤＭ−ＲＳポートの衝突が存在するかどうかを判断する。
【００３９】
ＤＭ−ＲＳポートの衝突が存在する場合、前記スケジューリング結果が、制限条件１を満たすことができず、即ち、同一のＵＥに割り当てられた全てのＲＢのＤＭ−ＲＳポートが同じであることを保証できないと認められ、該スケジューリング結果を廃棄して、サブステップＡ１に戻る。
【００４０】
ＤＭ−ＲＳポートの衝突が存在しない場合、前記スケジューリング結果が、制限条件１を満たすことができ、即ち、同一のＵＥに割り当てられた全てのＲＢのＤＭ−ＲＳポートが同じであることを保証できると認められ、前記スケジューリング結果を、選択されるスケジューリング結果とする。
【００４１】
上記の過程において、例えば、プロポーショナルフェアネス（ＰＦ）スケジューリング方法、ラウンドロビン（ＲＲ）スケジューリング方法、最大搬送波対干渉比（ＭＣＩ）スケジューリング方法などの様々なユーザスケジューリング方法を採用して、選択されたＲＢにおいてＳＵ−ＭＩＭＯスケジューリングおよび／またはＭＵ−ＭＩＭＯスケジューリングを行うことができる。
【００４２】
例えば、本ステップにおいて、記録されたＵＥとＤＭ−ＲＳポートとの対応関係が表１に示すようにすれば、ＵＥ１とＵＥ５とがいずれもＰｏｒｔ＃０に対応したので、上記の制限条件１による制限を満たすとともに、同じＲＢにおける異なるＵＥの間でのＤＭ−ＲＳポートの衝突を回避するために、選択されたＲＢにおいてＳＵ−ＭＩＭＯスケジューリングおよび／またはＭＵ−ＭＩＭＯスケジューリングを行うとき、ＵＥ１とＵＥ５とを同時にスケジューリングすることができない。同様に、ＵＥ２とＵＥ３とがいずれもＰｏｒｔ＃１と対応したので、選択されたＲＢにおいてＳＵ−ＭＩＭＯスケジューリングおよび／またはＭＵ−ＭＩＭＯスケジューリングを行うとき、ＵＥ２とＵＥ３とを同時にスケジューリングすることもできない。
【００４３】
【表１】
2011254467.tif 000003
【００４４】
実際の応用では、各ＵＥに対して、該ＵＥに対応するＤＭ−ＲＳポートを記録するためのＤＭ−ＲＳポートレジスタをそれぞれ設けることにより、ＵＥとＤＭ−ＲＳポートとの対応関係を記録することができる。
【００４５】
説明すべきものとして、ＵＥとＤＭ−ＲＳポートとの対応関係は、リソース割り当ての過程において確立されたものである。つまり、リソース割り当てを行う前に、全てのＵＥは、いずれも対応するＤＭ−ＲＳポートを有せず、即ち、記録されたＵＥとＤＭ−ＲＳポートとの対応関係が空である。１つのＲＢの割り当てが終了するたびに、かつ、該ＲＢにおいてスケジューリングされた全てのＵＥに対して、いずれも対応するＤＭ−ＲＳポートが割り当てられた後、割り当て結果に基づいて、ＵＥとＤＭ−ＲＳポートとの対応関係を記録することができる。このように、次のＲＢを割り当てるとき、記録されたＵＥとＤＭ−ＲＳポートとの対応関係に基づいて、スケジューリング結果の中から、上記の制限条件１を満たす１つのスケジューリング結果を選択することができる。
【００４６】
ステップ１０３で、全てのＲＢの割り当てが全部終了するまで、選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録してから、ステップ１０１に戻る。
【００４７】
本ステップにおいて、該ＲＢを共有する異なるＵＥに対応するＤＭ−ＲＳポートが異なることを保証するように、昇順、降順またはランダムの方式によって、対応するＤＭ−ＲＳポートがまだ割り当てられていないＵＥに対して、対応するＤＭ−ＲＳポートを割り当てることができる。
【００４８】
例えば、この前に記録されたＵＥとＤＭ−ＲＳポートとの対応関係が表１に示すようにすれば、ステップ１０２を実行することで得られたスケジューリング結果は、該ＲＢにおいてＵＥ２、ＵＥ４およびＵＥ６をスケジューリングすることになる。ここで、ＵＥ２に対して、対応するＤＭ−ＲＳポートＰｏｒｔ＃１が既に割り当てられ、ＵＥ４に対して、対応するＤＭ−ＲＳポートＰｏｒｔ＃２が既に割り当てられたが、ＵＥ６に対して、対応するＤＭ−ＲＳポートがまだ割り当てられていない。本ステップにおいて、ＵＥ６に対して、該ＵＥ６に対応するＤＭ−ＲＳポートを割り当てる。説明すべきものとして、同じＲＢにおける異なるＵＥの間でのＤＭ−ＲＳポートの衝突を回避するために、ＵＥ６に割り当てられるＤＭ−ＲＳポートは、該ＲＢにおいてスケジューリングされたほかのＵＥに対応するＤＭ−ＲＳポート（例えば、ＵＥ２に対応するＰｏｒｔ＃１や、ＵＥ４に対応するＰｏｒｔ＃２）と異なるべきである。また、ＵＥ６に対して、ＤＭ−ＲＳポートを割り当てるとき、昇順の方式によって割り当ててよく（例えば、Ｐｏｒｔ＃０を割り当てる）、あるいは、降順の方式によって割り当ててもよく（例えば、Ｐｏｒｔ＃３を割り当てる）、あるいは、ランダムの方式によってＰｏｒｔ＃０またはＰｏｒｔ＃３を割り当ててもよい。また、対応するＤＭ−ＲＳポートがまだ割り当てられていない全てのＵＥに対して、対応するＤＭ−ＲＳポートを割り当てることが終了した後、新たに確立されたＵＥとＤＭ−ＲＳポートとの対応関係を記録する。例えば、ＵＥ６に割り当てられた、該ＵＥ６に対応するＤＭ−ＲＳポートがＰｏｒｔ＃３である場合、ステップ１０３の実行を終了した後、得られた、既に記録されたＵＥとＤＭ−ＲＳポートとの対応関係は、表２に示すようになる。
【００４９】
【表２】
2011254467.tif 000004
【００５０】
上記のリソース割り当て方法から分かるように、ＵＥとＤＭ−ＲＳポートとの対応関係を記録することにより、ＳＵ−ＭＩＭＯスケジューリングおよび／またはＭＵ−ＭＩＭＯスケジューリングを行うとき、異なるＵＥの間でのＤＭ−ＲＳポートの衝突が存在するかどうかを判断し、上記の制限条件１を満たすスケジューリング結果を得ることができる。
【００５１】
（実施例２）
本実施例では、ＳＵ−ＭＩＭＯおよび／または非透過ＭＵ−ＭＩＭＯに対するリソース割り当て方法が提供される。これにより、ＬＴＥ−Ａシステムにおけるスケジューリングを実現することができる。
【００５２】
上記のように、非透過ＵＥに対してＲＢを割り当てるとき、上記の制限条件１と制限条件２とによる制限を満たす必要があり、即ち、同一のＵＥに割り当てられた全てのＲＢのＤＭ−ＲＳポートが同じであって、かつ、同一のＵＥに割り当てられた全てのＲＢのＲａｎｋが同じである、ということを満たす必要がある。本実施例において、説明の便宜上、同一のＵＥに割り当てられた全てのＲＢのＲａｎｋを、該ＵＥに対応するＲａｎｋに略称する。
【００５３】
図２に示すように、本実施例に係るリソース割り当て方法の実行過程は、主に下記のステップを含む。
【００５４】
ステップ２０１で、全ての割り当て対象ＲＢの中から、１つのＲＢを選択する。
【００５５】
ステップ１０１で説明したように、様々な方法によって、全ての割り当て対象ＲＢの中から、１つのＲＢを選択することができる。例えば、全ての割り当て対象ＲＢの中から、重み付け和が最高となるＲＢ、スループットが最高となるＲＢ、または優先度が最高となるＲＢを選択してもよく、あるいは、全ての割り当て対象ＲＢの中から、１つのＲＢをランダムに選択してもよい。
【００５６】
ステップ２０２で、選択されたＲＢにおいてスケジューリングを行って、記録されたＵＥとＤＭ−ＲＳポートとの対応関係およびＵＥと該ＵＥに対応するＲａｎｋとの対応関係に基づいて、スケジューリング結果の中から、上記の制限条件１と制限条件２を満たす１つのスケジューリング結果を選択する。
【００５７】
本ステップにおいて、前記スケジューリングは、具体的にＳＵ−ＭＩＭＯスケジューリングおよび／またはＭＵ−ＭＩＭＯスケジューリングである。具体的に、本ステップには、以下のサブステップが含まれる。
【００５８】
サブステップＢ１で、選択されたＲＢにおいて、ＳＵ−ＭＩＭＯスケジューリングおよび／またはＭＵ−ＭＩＭＯスケジューリングを行って、１つのスケジューリング結果を得る。
【００５９】
サブステップＢ２で、記録されたＵＥとＤＭ−ＲＳポートとの対応関係に基づいて、今回のスケジューリング結果では、スケジューリングされた全てのＵＥの間にＤＭ−ＲＳポートの衝突が存在するかどうかを判断し、ＤＭ−ＲＳポートの衝突が存在する場合、前記スケジューリング結果が、制限条件１を満たすことができず、即ち、同一のＵＥに割り当てられた全てのＲＢのＤＭ−ＲＳポートが同じであることを保証できないと認められ、該スケジューリング結果を廃棄して、サブステップＢ１に戻り、ＤＭ−ＲＳポートの衝突が存在しない場合、前記スケジューリング結果が、制限条件１を満たすことができ、即ち、同一のＵＥに割り当てられた全てのＲＢのＤＭ−ＲＳポートが同じであることを保証できると認められ、サブステップＢ３を実行する。
【００６０】
サブステップＢ３で、今回のスケジューリング結果および記録されたＵＥと該ＵＥに対応するＲａｎｋとの対応関係に基づいて、同一のＵＥに割り当てられた全てのＲＢのＲａｎｋが全部同じであるかどうかを判断し、同一のＵＥに割り当てられた全てのＲＢのＲａｎｋが全部同じである場合、前記スケジューリング結果が、制限条件２を満たすことができ、即ち、同一のＵＥに割り当てられた全てのＲＢのＲａｎｋが同じであることを保証できると認められ、前記スケジューリング結果を、選択されるスケジューリング結果とし、同一のＵＥに割り当てられた全てのＲＢのＲａｎｋが全部同じであるわけではない場合、前記スケジューリング結果が、制限条件２を満たすことができず、即ち、同一のＵＥに割り当てられた全てのＲＢのＲａｎｋが同じであることを保証できないと認められ、該スケジューリング結果を廃棄して、サブステップＢ１に戻る。
【００６１】
上記の過程において、例えば、ＰＦスケジューリング方法、ＲＲスケジューリング方法およびＭＣＩスケジューリング方法などの様々なユーザスケジューリング方法を採用して、選択されたＲＢにおいて、ＳＵ−ＭＩＭＯスケジューリングおよび／またはＭＵ−ＭＩＭＯスケジューリングを行うことができる。
【００６２】
例えば、本ステップにおいて、記録されたＵＥとＤＭ−ＲＳポートとの対応関係およびＵＥと該ＵＥに対応するＲａｎｋとの対応関係が表３に示すようにすれば、上記のように、選択されたＲＢにおいて、ＳＵ−ＭＩＭＯスケジューリングおよび／またはＭＵ−ＭＩＭＯスケジューリングを行うとき、ＵＥ１とＵＥ５とを同時にスケジューリングすることができず、ＵＥ２とＵＥ３とを同時にスケジューリングすることもできない。また、同一のＵＥに割り当てられた全てのＲＢのＲａｎｋが同じであることを保証するために、Ｒａｎｋ２に対応するＵＥ（ＵＥ３またはＵＥ５）と、Ｒａｎｋ３に対応するＵＥ（ＵＥ１、ＵＥ２またはＵＥ４）とを同時にスケジューリングすることができない。
【００６３】
【表３】
2011254467.tif 000005
【００６４】
実際の応用では、各ＵＥに対して、該ＵＥに対応するＤＭ−ＲＳポートを記録するためのＤＭ−ＲＳポートレジスタをそれぞれ設けることにより、ＵＥとＤＭ−ＲＳポートとの対応関係を記録することができ、各ＵＥに対して、該ＵＥに対応するＲａｎｋを記録するためのＲａｎｋレジスタをそれぞれ設けることにより、ＵＥと該ＵＥに対応するＲａｎｋとの対応関係を記録することができる。
【００６５】
説明すべきものとして、ＵＥと該ＵＥに対応するＲａｎｋとの対応関係も、リソース割り当ての過程において確立されたものである。つまり、リソース割り当てを行う前に、全てのＵＥは、いずれも対応するＲａｎｋを有せず、即ち、記録されたＵＥとＲａｎｋとの対応関係が空である。制限条件１と制限条件２とを満たす１つのスケジューリング結果を得るたびに、スケジューリング結果に基づいて、ＵＥとＲａｎｋとの対応関係を記録することができる。
【００６６】
ステップ２０３で、全てのＲＢの割り当てが全部終了するまで、選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録し、選択されたスケジューリング結果に基づいて、対応するＲａｎｋを有しないＵＥに対して、対応するＲａｎｋを決定して、新たに確立されたＵＥとＲａｎｋとの対応関係を記録してから、ステップ２０１に戻る。
【００６７】
上記のように、本ステップにおいて、該ＲＢを共有する異なるＵＥに対応するＤＭ−ＲＳポートが異なることを保証するように、昇順、降順またはランダムの方式によって、対応するＤＭ−ＲＳポートがまだ割り当てられていないＵＥに対して、対応するＤＭ−ＲＳポートを割り当てることができる。また、該ＲＢにおいてスケジューリングされたＵＥの数に基づいて、対応するＲａｎｋを有しないＵＥに対して、対応するＲａｎｋを直接に決定することができる。
【００６８】
例えば、この前に記録されたＵＥとＤＭ−ＲＳポートとの対応関係が表３に示すようにすれば、ステップ１０２を実行することで得られたスケジューリング結果は、該ＲＢにおいてＵＥ２、ＵＥ４およびＵＥ６をスケジューリングすることになる。ここで、ＵＥ２に対して、対応するＤＭ−ＲＳポートＰｏｒｔ＃１が既に割り当てられ、該ＵＥ２に対応するＲａｎｋがＲａｎｋ３であり、ＵＥ４に対して、対応するＤＭ−ＲＳポートＰｏｒｔ＃２が既に割り当てられ、該ＵＥ４に対応するＲａｎｋがＲａｎｋ３であるが、ＵＥ６には、対応するＤＭ−ＲＳポートがまだ割り当てられていないし、対応するＲａｎｋも有しない。本ステップにおいて、ＵＥ６に対して、該ＵＥ６に対応するＤＭ−ＲＳポート（例えばＰｏｒｔ＃３）を割り当てて、かつＲａｎｋ（即ち、Ｒａｎｋ３）を決定する。ステップ２０３の実行が終了した後、得られた、既に記録されたＵＥとＤＭ−ＲＳポートとの対応関係およびＵＥとＲａｎｋとの対応関係は、表４に示すようになる。
【００６９】
【表４】
2011254467.tif 000006
【００７０】
上記のリソース割り当て方法から分かるように、ＵＥとＤＭ−ＲＳポートとの対応関係を記録することにより、ＳＵ−ＭＩＭＯスケジューリングおよび／またはＭＵ−ＭＩＭＯスケジューリングを行うとき、異なるＵＥの間でのＤＭ−ＲＳポートの衝突が存在するかどうかを判断し、上記の制限条件１を満たすスケジューリング結果を得ることができる。また、ＵＥと該ＵＥに対応するＲａｎｋとの対応関係を記録することにより、ＳＵ−ＭＩＭＯスケジューリングおよび／またはＭＵ−ＭＩＭＯスケジューリングを行うとき、スケジューリングされたＵＥの数がこれらのＵＥに対応するＲａｎｋと同じであるかどうかを判断し、上記の制限条件２を満たすスケジューリング結果を得ることができる。
【００７１】
（実施例３）
本発明では、ＳＵ−ＭＩＭＯおよび／または非透過ＭＵ−ＭＩＭＯに対するリソース割り当て方法が提供される。これにより、ＬＴＥ−Ａシステムにおけるスケジューリングを実現することができる。
【００７２】
上記のように、非透過ＵＥに対してＲＢを割り当てるとき、上記の制限条件１と制限条件２とによる制限を満たす必要があり、即ち、同一のＵＥに割り当てられた全てのＲＢのＤＭ−ＲＳポートが同じであって、かつ、同一のＵＥに割り当てられた全てのＲＢのＲａｎｋが同じである、ということを満たす必要がある。
【００７３】
図３に示すように、本実施例に係るリソース割り当て方法の実行過程は、主に下記のステップを含む。
【００７４】
ステップ３０１で、１つのＲａｎｋ値を選択して、全ての割り当て対象ＲＢのＲａｎｋがいずれも該Ｒａｎｋ値に等しいように設定する。
【００７５】
本ステップにおいて、昇順、降順またはランダムの方式によって、全ての可能なＲａｎｋ値の中から、１つのＲａｎｋ値を選択することができる。
【００７６】
ステップ３０２で、全ての割り当て対象ＲＢの中から、１つのＲＢを選択する。
【００７７】
ステップ１０１で説明したように、様々な方法によって、全ての割り当て対象ＲＢの中から、１つのＲＢを選択することができる。例えば、全ての割り当て対象ＲＢの中から、重み付け和が最高となるＲＢ、スループットが最高となるＲＢ、または優先度が最高となるＲＢを選択してもよく、あるいは、全ての割り当て対象ＲＢの中から、１つのＲＢをランダムに選択してもよい。
【００７８】
ステップ３０３で、選択されたＲａｎｋ値に基づいて、選択されたＲＢにおいてスケジューリングを行って、記録されたＵＥとＤＭ−ＲＳポートとの対応関係に基づいて、スケジューリング結果の中から、上記の制限条件１を満たす１つのスケジューリング結果を選択する。
【００７９】
本ステップにおいて、前記スケジューリングは、具体的にＳＵ−ＭＩＭＯスケジューリングおよび／またはＭＵ−ＭＩＭＯスケジューリングである。
【００８０】
説明すべきものとして、本ステップにおいて、ＳＵ−ＭＩＭＯスケジューリングおよび／またはＭＵ−ＭＩＭＯスケジューリングを行うとき、該ＲＢにおいてスケジューリングされた全てのＵＥのＲａｎｋの和が、ステップ３０１で設定されたＲａｎｋ値である、ということを満たす。
【００８１】
本ステップにおいて、ＳＵ−ＭＩＭＯスケジューリングおよび／またはＭＵ−ＭＩＭＯスケジューリングを行うことで、１つのスケジューリング結果を得た後、まず、記録されたＵＥとＤＭ−ＲＳポートとの対応関係に基づいて、スケジューリングされたＵＥの間にＤＭ−ＲＳポートの衝突が存在するかどうかを判断し、ＤＭ−ＲＳポートの衝突が存在する場合、該スケジューリング結果が上記の制限条件１による制限を満たさないと認められ、該スケジューリング結果を廃棄して、上記の制限条件１による制限を満たすスケジューリング結果を得るまで、該ＲＢにおいて、ＳＵ−ＭＩＭＯスケジューリングおよび／またはＭＵ−ＭＩＭＯスケジューリングを再び行う。上記のように、例えば、ＰＦスケジューリング方法、ＲＲスケジューリング方法、ＭＣＩスケジューリング方法などの様々なユーザスケジューリング方法を採用して、選択されたＲＢにおいて、ＳＵ−ＭＩＭＯスケジューリングおよび／またはＭＵ−ＭＩＭＯスケジューリングを行うことができる。
【００８２】
実際の応用では、各ＵＥに対して、該ＵＥに対応するＤＭ−ＲＳポートを記録するためのＤＭ−ＲＳポートレジスタをそれぞれ設けることにより、ＵＥとＤＭ−ＲＳポートとの対応関係を記録することができる。
【００８３】
ステップ３０４で、全てのＲＢの割り当てが全部終了するまで、選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録してから、ステップ３０２に戻る。その後、ステップ３０５を実行する。
【００８４】
上記のように、本ステップにおいて、該ＲＢを共有する異なるＵＥに対応するＤＭ−ＲＳポートが異なることを保証するように、昇順、降順またはランダムの方式によって、対応するＤＭ−ＲＳポートがまだ割り当てられていないＵＥに対して、対応するＤＭ−ＲＳポートを割り当てることができる。
【００８５】
ステップ３０５で、全ての可能なＲａｎｋ値に対していずれも１つのリソース割り当て結果を得るまで、該Ｒａｎｋ値に対応するリソース割り当て結果を記録してから、ステップ３０１に戻る。その後、ステップ３０６を実行する。
【００８６】
ステップ３０６で、異なるＲａｎｋ値に対応するリソース割り当て結果を比較し、性能が最適となるリソース割り当て結果を、最終的なリソース割り当て結果として選択する。
【００８７】
本ステップにおいて、前記性能が最適となるリソース割り当て結果は、優先度が最高となるリソース割り当て結果であってよく、スループットが最大となるリソース割り当て結果であってもよい。
【００８８】
上記のリソース割り当て方法から分かるように、ＵＥとＤＭ−ＲＳポートとの対応関係を記録することにより、ＳＵ−ＭＩＭＯスケジューリングおよび／またはＭＵ−ＭＩＭＯスケジューリングを行うとき、異なるＵＥの間でのＤＭ−ＲＳポートの衝突が存在するかどうかを判断し、上記の制限条件１を満たすスケジューリング結果を得ることができる。また、今回のリソース割り当てを行うとき、全てのＵＥに対応するＲａｎｋがいずれも同じであることを保証するように、ＲＢのＲａｎｋ値を予め設定することにより、上記の制限条件２を満たすスケジューリング結果を得る。
【００８９】
上記の実施例は、いずれもＲＢの割り当てを例として説明したものである。説明すべきものとして、本発明で提供されるリソース割り当て方法は、ほかの周波数領域リソース（例えば、サブキャリア、コンポーネントキャリア（ＣＣ：ｃｏｍｐｏｎｅｎｔ  ｃａｒｒｉｅｒ）、またはサブバンドなど）の割り当て過程に直接に応用することもできる。つまり、実施例１〜３におけるＲＢをほかの周波数領域リソースに直接に置換するだけで、ほかの周波数領域リソースの割り当てを実現することができる。本発明において、説明の便宜上、上記のＲＢ、サブキャリア、コンポーネントキャリア、およびサブバンドなどのような周波数領域リソースを、周波数領域リソース単位と総称する。
【００９０】
上記のリソース割り当て方法を除いて、本発明では、上記の方法を実現するリソース割り当て装置が提供される。図４に示すように、上記のリソース割り当て装置は主に、全ての周波数領域リソース単位の割り当てが終了するまで、割り当て対象である全ての周波数領域リソース単位の中から、１つの周波数領域リソース単位を選択するリソース選択モジュールと、選択された周波数領域リソース単位においてスケジューリングを行って、記録されたＵＥとＤＭ−ＲＳポートとの対応関係に基づいて、スケジューリング結果の中から、上記の制限条件１を満たすスケジューリング結果を選択するユーザスケジューリングモジュールと、選択されたスケジューリング結果に基づいて、対応するＤＭ−ＲＳポートがまだ割り当てられていないＵＥに対して、対応するＤＭ−ＲＳポートを割り当てて、新たに確立されたＵＥとＤＭ−ＲＳポートとの対応関係を記録する対応関係記録モジュールと、を含む。
【００９１】
上記のように、リソース選択モジュールは、様々な方法によって、割り当て対象である全ての周波数領域リソース単位の中から、周波数領域リソース単位を選択することができる。
【００９２】
ここで、上記の実施例１に対応して、上記の対応関係記録モジュールは、各ＵＥに対してそれぞれ設けられた、該ＵＥに対応するＤＭ−ＲＳポートを記録するためのＤＭ−ＲＳポートレジスタを、含むことができる。
【００９３】
上記の実施例２に対応して、上記の対応関係記録モジュールは、各ＵＥに対してそれぞれ設けられた、該ＵＥに対応するＲａｎｋを記録するためのＲａｎｋレジスタを、さらに含むことができる。この場合、ユーザスケジューリングモジュールは、選択された周波数領域リソース単位において、ＳＵ−ＭＩＭＯスケジューリングおよび／またはＭＵ−ＭＩＭＯスケジューリングを行って、記録されたＵＥとＤＭ−ＲＳポートとの対応関係およびＵＥとＲａｎｋとの対応関係に基づいて、スケジューリング結果の中から、上記の制限条件１と制限条件２とを満たすスケジューリング結果を選択する。
【００９４】
それ以外、図５に示すように、上記の実施例３に対応するリソース割り当て装置は、図４に示したリソース割り当て装置と比べて、全ての可能なＲａｎｋ値に対していずれも１つのリソース割り当て結果を得るまで、全ての可能なＲａｎｋ値の中から、１つのＲａｎｋ値を選択するＲａｎｋ設定モジュールと、異なるＲａｎｋ値に対応するリソース割り当て結果を比較して、性能が最適となるリソース割り当て結果を、最終的なリソース割り当て結果として選択する割り当て結果選択モジュールと、をさらに含む。
【００９５】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2011254467.tif 000007
【図２】
2011254467.tif 000008
【図３】
2011254467.tif 000009
【図４】
2011254467.tif 000010
【図５】
2011254467.tif 000011